(57)【要約】      （修正有）【課題】プラスチック材料を使用しながらも固定用のネジがモータの運転中に発生する振動によって緩められる可能性のないキャンドモータポンプを提供する。【解決手段】キャンドモータポンプは、プラスチック材料により、前方開口及び後方開口を有するように中空の管状体に形成された保持台１０と、前方開口を覆うように保持台に取り付けられるフロントカバー５０と、後方開口を覆うように保持台に取り付けられるバックカバー７０と、金属材料により作成されて保持台内に配置されるフロントナット１３及びバックナット１４と、金属材料により作成されてフロントカバーを貫通してフロントナットと螺合する第１の固定ネジ６０と、金属材料により作成されてバックカバーを貫通してバックナットと螺合する第２の固定ネジ８０と、を備える。【選択図】図２
0003227646.tif 000002
【実用新案登録請求の範囲】
【請求項１】
モータと、該モータにより回転駆動される羽根車と、前方開口及び後方開口を有するように中空の管状体に形成されていると共に、前記モータを管内に収容する保持台と、前記羽根車及び前記保持台の前記前方開口を覆うように前記保持台に取り付けられるフロントカバーと、前記保持台の前記後方開口を覆うように前記保持台に取り付けられるバックカバーと、を備えたキャンドモータポンプであって、
前記保持台は、プラスチック材料により形成されている上、
金属材料により作成されたフロントナットと、金属材料により作成されたバックナットとが、それぞれ前記フロントカバーと前記バックカバーに対応するように前記保持台内に配置され、
更に、金属材料により作成された第１の固定ネジが前記フロントカバーを貫通して前記保持台内に配置された前記フロントナットと螺合し、
金属材料により作成された第２の固定ネジが前記バックカバーを貫通して前記保持台内に配置された前記バックナットと螺合することを特徴とするキャンドモータポンプ。
【請求項２】
前記保持台の前記後方開口側において前記保持台と前記バックカバーとの間に挟まれるように配置される固定枠を更に有し、
前記固定枠は金属材料により作成されると共に、前記第２の固定ネジ及び前記バックナットに対応する通過孔が形成され、前記第２の固定ネジは前記通過孔を挿通してから前記バックナットと螺合するように構成されたことを特徴とする請求項１に記載のキャンドモータポンプ。
【請求項３】
前記保持台は、前記フロントカバーに向かって開口し、且つ、前記フロントナットに対応する第１の固定孔と、
前記バックカバーに向かって開口し、且つ、前記バックナットに対応する第２の固定孔と、を有するように形成され、
前記第１の固定ネジは、第１の固定孔を挿通してから前記フロントナットと螺合し、
前記第２の固定ネジは、前記第２の固定孔を挿通してから前記バックナットと螺合するように構成されたことを特徴とする請求項１に記載のキャンドモータポンプ。
【請求項４】
前記フロントナットは、前記第１の固定ネジを受け入れる第１のナット孔を囲むように中空の管状に形成されていると共に、開口する２つの端部にそれぞれ前記第１の固定ネジが挿入する方向と直交する断面が非円形になっている第１のフランジが張り出すように形成されており、
前記バックナットは、前記第２の固定ネジを受け入れる第２のナット孔を囲むように中空の管状に形成されていると共に、開口する２つの端部にそれぞれ前記第２の固定ネジが挿入する方向と直交する断面が非円形になっている第２のフランジが張り出すように形成されていることを特徴とする請求項１に記載のキャンドモータポンプ。
【考案の詳細な説明】
【技術分野】
【０００１】
本考案はキャンドモータポンプに関する。
【背景技術】
【０００２】
液体の供給に用いられる従来のキャンドモータポンプとしては、例えば特許文献１に記載されるものが挙げられる。特許文献１に記載されるように、該従来のキャンドモータポンプは、キャンドモータと、該キャンドモータにより回転駆動される羽根車と、該キャンドモータの前後両側を覆うフロントカバー及びバックカバーと、により構成されている。フロントカバー及びバックカバーは、キャンドモータのサイドカバーに形成される前後のフランジにそれぞれネジにより固定されているが、キャンドモータのサイドカバーとして金属材料を採用する場合、供給する液体が腐食性物質であると、腐食されて不具合を起こす可能性がある、一方、キャンドモータのサイドカバーとしてプラスチック材料を使用する場合、ネジによる固定効果が弱く、モータの運転中に発生する振動によって緩められる可能性があり、そしてネジが緩められると腐食性物質がフロントやバックカバーとキャンドモータのサイドカバーとの間の隙間から侵入してモータ本体を破壊する恐れがある。
【先行技術文献】
【特許文献】
【０００３】
【特許文献１】台湾特許第Ｉ４４１９８４号明細書
【考案の概要】
【考案が解決しようとする課題】
【０００４】
上記問題点に鑑みて、本考案はプラスチック材料を使用しながらも固定用のネジがモータの運転中に発生する振動によって緩められる可能性のないキャンドモータポンプの提供を目的とする。
【課題を解決するための手段】
【０００５】
上記目的を達成すべく、本考案はモータと、該モータにより回転駆動される羽根車と、前方開口及び後方開口を有するように中空の管状体に形成されていると共に、前記モータを管内に収容する保持台と、前記羽根車及び前記保持台の前記前方開口を覆うように前記保持台に取り付けられるフロントカバーと、前記保持台の前記後方開口を覆うように前記保持台に取り付けられるバックカバーと、を備えたキャンドモータポンプであって、
前記保持台は、プラスチック材料により形成されている上、
金属材料により作成されたフロントナットと、金属材料により作成されたバックナットとが、それぞれ前記フロントカバーと前記バックカバーに対応するように前記保持台内に配置され、
更に、金属材料により作成された第１の固定ネジが前記フロントカバーを貫通して前記保持台内に配置された前記フロントナットと螺合し、
金属材料により作成された第２の固定ネジが前記バックカバーを貫通して前記保持台内に配置された前記バックナットと螺合することを特徴とするキャンドモータポンプを提供する。
【考案の効果】
【０００６】
上記のように、本考案のキャンドモータポンプは、フロントカバーとバックカバーとを保持台に固定する第１の固定ネジ及び第２の固定ネジと螺合するナットとして、金属材料により作成されて保持台内に配置されるフロントナットとバックナットとを使用するので、金属材料同士のネジとナットの螺合により十分な結合強度を有しながらも、プラスチック材料により保持台を形成するため、管内に収容されるモータを腐食性物質から守ることができる。
【図面の簡単な説明】
【０００７】
【図１】本考案のキャンドモータポンプの外部構成が示される斜視図である。
【図２】図１に示されるキャンドモータポンプの内部構成が示される分解斜視図である。
【図３】図１に示されるキャンドモータポンプの内部構成が示される一部切欠斜視図である。
【図４】図１に示されるキャンドモータポンプの内部構成が示される一部切欠斜視図である。
【図５】図１に示されるキャンドモータポンプの内部構成が示される部分断面図である。
【考案を実施するための形態】
【０００８】
以下、本考案に係るキャンドモータポンプの実施形態について、図面を参照して説明する。
【０００９】
図１は本考案のキャンドモータポンプの外部構成が示される斜視図であり、図２は図１に示されるキャンドモータポンプの内部構成が示される分解斜視図であり、図３は図１に示されるキャンドモータポンプの内部構成が示される一部切欠斜視図であり、図４は図１に示されるキャンドモータポンプの内部構成が示される一部切欠斜視図であり、図５は図１に示されるキャンドモータポンプの内部構成が示される部分断面図である。
【００１０】
図１と図２に示されるように、本考案のキャンドモータポンプは、モータ３０と、該モータ３０により回転駆動される羽根車４０と、モータ３０を収容する保持台１０と、保持台１０の前後にある開口を覆うフロントカバー５０及びバックカバー７０と、フロントカバー５０を保持台１０に固定するための複数の第１の固定ネジ６０と、バックカバー７０を保持台１０に固定するための複数の第２の固定ネジ８０と、を備えている。
【００１１】
図２と図３に示されているように、保持台１０はプラスチック材料により、前方開口１０１及び後方開口１０２を有するように、所定の軸線Ｌの周りを囲む中空の管状体に形成され、モータ３０を管内に収容する。
【００１２】
保持台１０を形成するプラスチック材料としては、例えばポリプロピレン（ＰＰ）、ガラス繊維強化ポリプロピレン（ＧＦＲＰＰ）、ポリフッ化ビニリデン（ＰＶＤＦ）、炭素繊維強化ＥＴＦＥ樹脂（ＣＦＲＥＴＦＥ）など、腐食性物質に強いプラスチック材料を用いることができる。
【００１３】
更に細かく説明すると、この実施形態において、保持台１０は、前方開口１０１を囲む円環状の第１のリング部１１と、第１のリング部１１の外周縁において該第１のリング部１１より大径に形成されて後方開口１０２を囲む円環状の第２のリング部１２と、第２のリング部１２から後方開口１０２が面する側へ延伸する管状の延伸部１２１と、を有するように、プラスチック材料により作成されている。
【００１４】
保持台１０の第１のリング部１１内に、金属材料により作成された複数のフロントナット１３が配置され、第２のリング部１２内に、金属材料により作成された複数のバックナット１４が配置されている。金属材料により作成された各フロントナット１３及び各バックナット１４を保持台１０の内部に配置する方法としては、保持台１０をキャスト成形する前に、予め金属材料により作成された各フロントナット１３及び各バックナット１４を金型内における適切な場所（この実施形態においては、軸線Ｌの周りにおいて互いに間を空けて配置）に配置しておくことで、保持台１０をキャスト成形すると、各フロントナット１３及び各バックナット１４を保持台１０の内部に埋め込む方法が挙げられる。
【００１５】
フロントナット１３の数は第１の固定ネジ６０と同数であり、それぞれ１つの第１の固定ネジ６０と螺合できる寸法のものが使用されている。バックナット１４についても同じく、第２の固定ネジ８０と同数であり、それぞれ１つの第２の固定ネジ８０と螺合できる寸法のものが使用されている。ちなみに、第１の固定ネジ６０の寸法と第２の固定ネジ８０の寸法とは必ずしも同じものを採用する必要はなく、必要に応じて適切な寸法を持つものを使用することができるが、この実施形態において、第１の固定ネジ６０と第２の固定ネジ８０は、実質同じ寸法を持つものが用いられている。
【００１６】
各フロントナット１３は、対応する第１の固定ネジ６０を受け入れる第１のナット孔１３３を囲むように中空の管状に形成されていると共に、開口する２つの端部にそれぞれ第１の固定ネジ６０が挿入する方向と直交する断面が非円形になっている第１のフランジ１３１が張り出すように形成されている。即ち、フロントナット１３は中空の円管状で第１のナット孔１３３を囲む第１のナット本体１３２を有すると共に、該第１のナット本体１３２の両端に、第１のナット本体１３２の延伸方向と直交する断面が非円形（六角形）になっている第１のフランジ１３１が張り出すように形成されている。
【００１７】
各バックナット１４は、対応する第２の固定ネジ８０を受け入れる第２のナット孔１４３を囲むように中空の管状に形成されていると共に、開口する２つの端部にそれぞれ第２の固定ネジ８０が挿入する方向と直交する断面が非円形になっている第２のフランジ１４１が張り出すように形成されている。即ち、バックナット１４は中空の円管状で第２のナット孔１４３を囲む第２のナット本体１４２を有すると共に、該第２のナット本体１４２の両端に、第２のナット本体１４２の延伸方向と直交する断面が非円形（六角形）になっている第２のフランジ１４１が張り出すように形成されている。
【００１８】
各フロントナット１３と各バックナット１４から張り出す第１のフランジ１３１及び第２のフランジ１４１を断面が非円形（六角形）に形成することにより、第１の固定ネジ６０または第２の固定ネジ８０と螺合する際において保持台１０に対する相対移動及び相対回転を阻止することができるので、より確実な螺合に寄与し、フロントカバー５０及びバックカバー７０を保持台１０に密接するように固定することができる。
【００１９】
また、この実施形態において、保持台１０の第１のリング部１１には、フロントカバー５０に向かって開口し、且つ、フロントナット１３の第１のナット孔１３３と連通するように対応する第１の固定孔１１３が形成されている。即ち、この実施形態において、フロントナット１３は第１のリング部１１の奥に配置されているため、第１の固定ネジ６０がフロントナット１３と螺合するための通路としての第１の固定孔１１３が形成されている。従って、各第１の固定ネジ６０は、対応する第１の固定孔１１３を挿通してから、対応するフロントナット１３と螺合する。
【００２０】
同じく、この実施形態において、保持台１０の第２のリング部１２には、バックカバー７０に向かって開口し、且つ、バックナット１４の第２のナット孔１４３と連通するように対応する第２の固定孔１１４が形成されている。即ち、この実施形態において、バックナット１４は第２のリング部１２の奥に配置されているため、第２の固定ネジ８０がバックナット１４と螺合するための通路としての第２の固定孔１１４が形成されている。従って、各第２の固定ネジ８０は、対応する第２の固定孔１１４を挿通してから、対応するバックナット１４と螺合する。
【００２１】
無論、フロントナット１３の第１の固定ネジ６０を受け入れる開口が保持台１０の表面に露出している場合、通路としての第１の固定孔１１３を形成する必要は無くなる。フロントナット１３の設置場所については、保持台１０の形状や寸法を設計する際において、適切に決めることができ、バックナット１４についても同じである。
【００２２】
この実施形態では、保持台１０の後方開口１０２側において保持台１０とバックカバー７０との間に挟まれるように配置されると共に、モータ３０が固定される固定枠２０を更に有している。
【００２３】
この固定枠２０は金属材料により作成されると共に、第２の固定ネジ８０を受け入れることが可能、且つ、バックナット１４の第２のナット孔１４３と連通するように対応する通過孔２１が形成されている。
【００２４】
第２の固定ネジ８０は、通過孔２１と第２の固定孔１１４とを順番に挿通してからバックナット１４の第２のナット孔１４３内に挿入してバックナット１４と螺合するように構成されている。
【００２５】
モータ３０として、キャンドモータが用いられており、保持台１０の管内に収容されるように、固定枠２０に固定されている。
【００２６】
羽根車４０は該モータ３０により回転駆動されると共に、保持台１０の前方開口１０１側において、フロントカバー５０により覆われている。ちなみに、この実施形態において、該モータ３０により回転駆動される羽根車４０は、軸線Ｌと一致する回転軸を中心として回転するように配置構成されている。
【００２７】
フロントカバー５０には、各第１の固定ネジ６０により挿通される第１のネジ通過孔５１が形成されている。各第１のネジ通過孔５１は、それぞれ１つの第１の固定孔１１３と連通するように対応する位置に形成されている。
【００２８】
バックカバー７０には、各第２の固定ネジ８０により挿通される第２のネジ通過孔７１が形成されている。各第２のネジ通過孔７１は、それぞれ１つの第２の固定孔１１４と連通するように対応する位置に形成されている。
【００２９】
以上、本考案の好ましい実施形態を説明したが、本考案はこれらに限定されるものではなく、最も広い解釈の精神および範囲内に含まれる様々な構成として、全ての修飾および均等な構成を包含するものとする。
【産業上の利用可能性】
【００３０】
本考案のキャンドモータポンプは、フロントカバーとバックカバーとを保持台に固定する第１の固定ネジ及び第２の固定ネジと螺合するナットとして、金属材料により作成されて保持台内に配置されるフロントナットとバックナットとを使用するので、金属材料同士のネジとナットの螺合により十分な結合強度を有しながらも、プラスチック材料により保持台を形成するため、管内に収容されるモータを腐食性物質から守ることができる。
【００３１】
また、各フロントナットと各バックナットから張り出す第１のフランジ及び第２のフランジの断面を非円形（六角形）に形成することにより、第１の固定ネジまたは第２の固定ネジと螺合する際において保持台に対する相対移動及び相対回転を阻止することができるので、より確実な螺合に寄与し、フロントカバー及びバックカバー７０を保持台に密接するように固定し、
腐食性物質の侵入をより確実に防止することができる。
【符号の説明】
【００３２】
１０        保持台
１０１    前方開口
１０２    後方開口
１１        第１のリング部
１１３    第１の固定孔
１１４    第２の固定孔
１２        第２のリング部
１２１    延伸部
１３        フロントナット
１３１    第１のフランジ
１３２    第１のナット本体
１３３    第１のナット孔
１４        バックナット
１４１    第２のフランジ
１４２    第２のナット本体
１４３    第２のナット孔
２０        固定枠
２１      通過孔
３０        モータ
４０        羽根車
５０        フロントカバー
５１        第１のネジ通過孔
６０        第１の固定ネジ
７０        バックカバー
７１        第２のネジ通過孔
８０        第２の固定ネジ
Ｌ        軸線
【図１】
0003227646.tif 000003
【図２】
0003227646.tif 000004
【図３】
0003227646.tif 000005
【図４】
0003227646.tif 000006
【図５】
0003227646.tif 000007